(57)【要約】【課題】免震エレベータ昇降路の免震部において、かごの敷居からフェッシャープレートまでの寸法が常に１２５以下であることを可能にする。【解決手段】エレベータレールに取り付けられた取付腕８を昇降路の免震部で上下方向に複数箇所設置し、その間を埋めるようにフェッシャープレート１３を取付腕８に取り付ける。この際、フェッシャープレート１３の上下面には、該フェッシャープレート１３と取付腕８とを取付けボルト９で固定するための、免震動作時に加わる横方向の変位より大きい長穴を空け、フェッシャープレート１３の縦方向の長さを取付腕８が取り付けられている上下方向のスパンより短くし、フェッシャープレート１３の上部を移動しないよう固定し、下部をボルトで固定する場合にフェッシャープレート１３と下部側取付腕８との間にカラー１０を介し、長穴を通して挟むように構成する。【選択図】　　　　図８
2004099215.tif 000002
【特許請求の範囲】
【請求項１】
エレベータレールに取り付けられた取付腕を昇降路の免震部で上下方向に複数箇所設置し、その間を埋めるようにフェッシャープレートを上記取付腕に取り付けるようにしたことを特徴とする免震エレベータのフェッシャープレート。
【請求項２】
フェッシャープレートを横方向に分割して取付腕に取り付けることを特徴とする請求項１記載の免震エレベータのフェッシャープレート。
【請求項３】
フェッシャープレートの上下面には、該フェッシャープレートと取付腕とを取付けボルトによって固定するための、上記フェッシャープレートの免震動作時に加わる横方向の変位より大きい長穴を空け、
上記フェッシャープレートの縦方向の長さは、上記取付腕が取り付けられている上下方向のスパンより短くし、上記フェッシャープレートの上部を移動しないよう固定し、上記フェッシャープレートの下部をボルトで固定する場合に該フェッシャープレートと下部側取付腕との間にカラーを介し、長穴を通して挟むように構成することで横方向の長穴に沿って動くことを可能にしたことを特徴とする請求項１又は２に記載の免震エレベータのフェッシャープレート。
【請求項４】
免震部上端のフェッシャープレート上面とボルトで固定される取付金の取付面に長穴を空け、フェッシャープレートの取付時には高さ方向および建築壁とフェッシャープレートの面との距離を調節可能とし、
免震部下端のフェッシャープレートの前面とボルトで固定される取付金の取付面に長穴を空け、フェッシャープレートの取付時には建築壁とフェッシャープレートの面との距離および横方向の位置を調節可能としたことを特徴とする請求項１又は２に記載の免震エレベータのフェッシャープレート。
【請求項５】
フェッシャープレートの上下面には、該フェッシャープレートと取付腕とを取付けボルトによって固定するための、上記フェッシャープレートの免震動作時に加わる横方向の変位より大きい長穴を空け、
上記フェッシャープレートの縦方向の長さは、上記取付腕が取り付けられている上下方向のスパンより短くし、上記フェッシャープレートの上部を移動しないよう固定し、上記フェッシャープレートの下部をボルトで固定する場合に該フェッシャープレートと下部側取付腕との間にカラーを介し、長穴を通して挟むように構成することで横方向の長穴に沿って動くことを可能にし、
免震部上端のフェッシャープレート上面とボルトで固定される取付金の取付面に長穴を空け、フェッシャープレートの取付時には高さ方向および建築壁とフェッシャープレートの面との距離を調節可能とし、
免震部下端のフェッシャープレートの前面とボルトで固定される取付金の取付面に長穴を空け、フェッシャープレートの取付時には建築壁とフェッシャープレートの面との距離および横方向の位置を調節可能としたことを特徴とする請求項１又は２に記載の免震エレベータのフェッシャープレート。
【発明の詳細な説明】
【０００１】
【発明の属する技術分野】
この発明は、免震エレベータのフェッシャープレートに関するものである。
【０００２】
【従来の技術】
図１３は、例えば、特開平３−１８５７９号公報に示された従来の免震エレベータではないエレベータのフェッシャープレートを示す斜視図である。
図において、建築壁４に上下に亘って配設した取付部材２に複数枚のフェッシャープレート１をボルト・ナットで取付けることにより、エレベータの昇降路内の凹部を塞いでいる。このように複数枚のフェッシャープレート１を用いるのは、エレベータの昇降路内の凹部の上下方向の長さが各建物によって相違するため、この上下方向の長さの変化に容易に対応ができることを考慮したものである。フェッシャープレート１は取付部材２によって建築壁４より一定の寸法で固定される。
【０００３】
【発明が解決しようとする課題】
しかしながら、上記のようなフェッシャープレートを免震エレベータにおける昇降路の免震部に使用した場合、地震時に建築壁から一定の寸法でフェッシャープレートが取り付けられているため、免震に必要な寸法分だけ、かごの敷居からフェッシャープレートまでの寸法が可変寸法となる。かごの敷居からフェッシャープレートまでの寸法は、建築基準法にて「１２５ｍｍ以下とすること」と制定されており、地震時の免震動作が往復運動することを考慮すると、免震動作時の許容寸法が１２５／２＝６２．５ｍｍを超える場合は、免震動作時にかごの敷居からフェッシャープレートまでの寸法が１２５ｍｍを超えてしまうため、法規を満たさず設置できないという問題があった。
【０００４】
この発明は、免震エレベータ昇降路の免震部において、かごの敷居からフェッシャープレートまでの寸法が地震の有無に関わらず常に１２５ｍｍ以下であることを可能にする免震エレベータのフェッシャープレートを提供することを目的とする。
【０００５】
【課題を解決するための手段】
この発明に係る免震エレベータのフェッシャープレートは、昇降路の免震部のみにエレベータレールから取付腕を出し、そこにフェッシャープレートを設置するものである。
【０００６】
【発明の実施の形態】
実施の形態１．
図１〜図１０は、この発明の実施の形態１を示す免震エレベータのフェッシャープレートである。図１は昇降路断面図、図２は図１の平面断面図、図３は、図１の正面図（矢視Ｇ）、図４は図３の横断面図（断面ＥＥ）、図５は図１のＡ部詳細図、図６は部品１１の斜視図である。
【０００７】
図において、取付腕８は、４本のエレベータレール７を互いに固定しており、図２に示すように昇降路断面でいうと四角く連結されている。取付腕８は、昇降路上下方向に免震部のみに数本設置されている。その設置スパンは、階間仕様やフェッシャープレート１３の強度等により決定される。フェッシャープレート１３は互いの取付腕８の間に、フェッシャープレート１３の上下で固定される取付ボルト９により数珠つなぎのように取り付けられている。免震部の上端および下端のフェッシャプレート１３は、図５および図９に示すようにフェッシャープレート１３の上端と下端を取付金１１または１２を介してアンカーボルト６により建築壁４に固定される。
【０００８】
フェッシャープレート１３の断面は図４に示すようにコの字状であり、強度を確保している。上下面も曲げられた四方曲げであり、上下面には取付腕８と取付ボルト９との固定用の長穴が空けられている。この長穴の大きさは、それぞれフェッシャープレート１３の免震動作時に加わる横方向の変位より大きい。フェッシャープレート１３の縦方向（上下方向）の長さは、取付腕８が取り付けられている上下方向のスパンより少し短くしてある。フェッシャープレート１３の上部は取付けボルト９とナット１４により移動しないよう固く固定されている。フェッシャープレート１３の下部は、取付けボルト９とナット１４で固定するが、フェッシャープレート１３と取付腕８との間にカラー１０を介し、長穴を通して挟む。
【０００９】
これにより、フェッシャープレート１３は上端で吊り下げられた状態で固定され、下端も固定されてはいるものの、長穴にカラー１０が通しているため、横方向の長穴に沿って動くことが可能である。また、取付腕８にはフェッシャープレート１３と同ピッチで固定用穴が空けられており、取付ボルト９の径より少し大きくしておき、取付ボルト９を通しやすくしておく。取付ボルト９は、フェッシャープレート１３の１枚に対し、横方向（水平方向）に３個所、上下方向に２個所で計６個所固定する。
【００１０】
免震部の上端および下端のフェッシャープレート１３は、先にも述べたように取付金１１または１２により固定されているため、先のようにカラー１０を使用して固定はしない。免震部上端のフェッシャープレート１３は、図５に示すように、フェッシャープレート１３の上面と取付金１１とをボルト１５で固定する。取付金１１の取付面には長穴が空けられており、フェッシャープレート１３の取付時には高さ方向および建築壁４とフェッシャープレート１３の面との距離が調節可能である。また免震部下端のフェッシャープレート１３は、図８で示すように、フェッシャープレート１３の前面と取付金１２とをボルト１５で固定する。取付金１２の取付面には長穴が空けられており、フェッシャープレート１３の取付時には建築壁４とフェッシャープレート１３の面との距離および横方向（水平方向）の位置が調節可能である。
【００１１】
免震部の上端および下端は、エレベータレール７が建築壁４と固定されており、免震時の変位が０となるため、完全にボルト１５で固定することが可能である。また、長穴の長手横方向の力が加わった場合は、フェッシャープレート１２の長手方向に対し垂直の力が加わるものの、寸法が長いため、たわみで吸収されるレベルであり、実用上問題はない。
【００１２】
このように構成された免震エレベータのフェッシャープレートにおいては、レール７に取り付けられた取付腕８にフェッシャープレート１３を数珠つなぎのように取り付けることで、地震発生による免震動作時にエレベータかご敷居先端とフェッシャープレート先端との距離について一定寸法を保つことが可能である。また、従来の構造であるとそれぞれのフェッシャープレートに対し、免震時の変位量を算出し、かご敷居先端とフェッシャープレート先端の衝突などを検討する必要があるが、本構造とすれば一定寸法であるので、免震時の変位量に関わらず、全ての場合において同一構造で使用可能である。
【００１３】
実施の形態２．
図１１〜図１２は、この発明の実施の形態２を示す免震エレベータのフェッシャープレートである。図１１は図１のフェッシャープレート正面図（矢視Ｇ）、図１２は図１１の横断面図（断面ＦＦ）である。
【００１４】
実施の形態１のフェッシャープレートに対し、フェッシャープレート以外は同構造であるが、フェッシャープレート１３を横方向に３分割する。フェッシャープレート１３は互いの取付腕８の間に、フェッシャープレート１３の上下で固定される取付ボルト９により数珠つなぎのように取り付けられている。取付部は、実施の形態１と同様に取付ボルト９とカラー１０を使用して取り付けることで、実施の形態１と同様の効果を得ることが可能である。取付ボルト９は、フェッシャープレート１３の１枚に対し、横方向に２個所、上下で２個所で計４個所、そのフェッシャープレート１３が取付腕８の間に３枚あるので、計１２個所固定する。免震部の上端および下端のフェッシャープレート１３は、実施の形態１と同様に取付金１１または１２を使用して、実施の形態１と同様に取付ける。但し、実施の形態１と異なり、フェッシャープレートが横方向に分割されているので、取付ける数は上下端それぞれ６個所となる。
【００１５】
なお、この上記の例では、フェッシャープレートを横方向に３分割した場合を示したが、これに限らない。例えば２分割してもよいし、４分割してもよい。
【００１６】
このように構成された免震エレベータのフェッシャープレートにおいては、取付腕の間に取付けられたフェッシャープレートを横方向に分割することで、１枚のフェッシャープレートの重量を軽減することが可能となり、取付時の据付性の改善を図ることが可能となる。
【００１７】
【発明の効果】
以上に述べたように本発明によれば、エレベータレールに取り付けられた取付腕を昇降路の免震部で上下方向に複数箇所設置し、その間を埋めるようにフェッシャープレートを上記取付腕に取り付けることで、エレベータかご敷居先端とフェッシャープレート先端との距離を常に一定寸法に保つことが可能となる。また、免震時におけるかご敷居先端とフェッシャープレート先端の衝突など検討する必要がなく、免震時の変位量に関わらず、全ての場合において、同一構造で使用可能である。
【図面の簡単な説明】
【図１】この発明の実施の形態１を示す昇降路断面図である。
【図２】図１の平面断面図である。
【図３】図１の正面図（矢視Ｇ）である。
【図４】図３の横断面図（断面ＥＥ）である。
【図５】図１のＡ部詳細図である。
【図６】図５の部品１１の斜視図である。
【図７】図１のＢ部断面図である。
【図８】図１のＣ部断面図である。
【図９】図１のＤ部断面図である。
【図１０】図９の部品１２の斜視図である。
【図１１】この発明の実施の形態２を示す図１の正面図（矢視Ｇ）である。
【図１２】図１１の横断面図（断面ＦＦ）である。
【図１３】従来例であるフェッシャープレートの斜視図である。
【符号の説明】
１　フェッシャープレート、２　取付部材、３　ハンガーケース、４　建築壁、５　敷居取付金、６　アンカーボルト、７　エレベ−タレール、８　取付腕、９　取付ボルト、１０　カラー、１１　取付金、１２　取付金、１３　フェッシャープレート、１４　ナット、１５　ボルト。
【図１】
2004099215.tif 000003
【図２】
2004099215.tif 000004
【図３】
2004099215.tif 000005
【図４】
2004099215.tif 000006
【図５】
2004099215.tif 000007
【図６】
2004099215.tif 000008
【図７】
2004099215.tif 000009
【図８】
2004099215.tif 000010
【図９】
2004099215.tif 000011
【図１０】
2004099215.tif 000012
【図１１】
2004099215.tif 000013
【図１２】
2004099215.tif 000014
【図１３】
2004099215.tif 000015